(57)【要約】【課題】運用系光パスに故障が発生した際に、ネットワークリソースの使用量が増加しないように、迂回経路を生成して切り替える。【解決手段】マルチレイヤ迂回経路制御装置３０は、パケットレイヤと光トランスポートレイヤの各ネットワークを相互接続したマルチレイヤのネットワークリンク４０における通信経路の故障時に、迂回経路に切り替えて通信を継続するものであり、故障の位置を特定して検出する故障検出部３１と、検出された故障が、光トランスポートレイヤの第１光パスにおける光波長スイッチ間のリンク故障である場合に、第１光パスとその始端から途中まで同ルートを通る第２光パスの存在を探索するルート探索部３３と、探索により第２光パスが検出された際に、第１光パスのトラフィックを、第２光パスと、当該第２光パスに繋がるパケットレイヤのパケットルートとによる迂回経路に切り替える指示を行うトラフィック変更指示部３４とを備える。【選択図】図１
2019004235.tif 000002
【特許請求の範囲】
【請求項１】
パケットレイヤと光トランスポートレイヤの各ネットワークを相互接続したマルチレイヤのネットワークリンクにおける通信経路の故障時に、迂回経路に切り替えて通信を継続させるマルチレイヤ迂回経路制御装置であって、
前記故障を、位置を特定して検出する故障検出部と、
前記検出された故障が、前記光トランスポートレイヤの第１光パスにおける光波長スイッチ間のリンク故障である場合に、当該第１光パスとその始端から途中まで同ルートを通る第２光パスの存在を探索するルート探索部と、
前記探索により前記第２光パスが検出された際に、前記第１光パスのトラフィックを、前記第２光パスと、当該第２光パスに繋がる前記パケットレイヤのパケットルートとによる迂回経路に切り替える指示を行うトラフィック変更指示部と
を備えることを特徴とするマルチレイヤ迂回経路制御装置。
【請求項２】
前記光波長スイッチ間に光パスを新規に設定する処理と、当該新規に設定された光パスの帯域を検出する処理を行う光パス設定部を更に備え、
前記ルート探索部が、前記リンク故障の検出時に、前記第２光パスを検出できなかった場合に、前記光パス設定部は、前記第２光パスを設定可能な両端の光波長スイッチに対して、当該第２光パスを新規に設定し、
前記トラフィック変更指示部は、前記第１光パスのトラフィックを、前記新規に設定された第２光パスと、当該第２光パスに繋がる前記パケットレイヤのパケットルートとによる迂回経路に切り替える指示を行う
ことを特徴とする請求項１に記載のマルチレイヤ迂回経路制御装置。
【請求項３】
ルータを通るパケットルートを新規に設定するパケットルート設定部と、
光パスに伝送されるトラフィックを、予め定められた基準優先度以上の高優先トラフィックと、基準優先度未満の低優先トラフィックとに振り分ける優先度振分指示を行うトラフィック振分指示部と
を更に備え、
前記光パス設定部が、前記新規に設定された第２光パスの空き帯域が不十分であることを検出した際に、前記パケットルート設定部が、前記第２光パスの始端に繋がる始端側ルータと前記故障した第１光パスの終端が繋がる終端側ルータとの間に新規にパケットルートを設定し、前記トラフィック振分指示部が、前記始端側ルータに対して前記優先度振分指示を行い、
前記始端側ルータに、前記優先度振分指示に応じて、前記第１光パスのトラフィックの内、前記高優先トラフィックを前記第２光パス側へ転送させ、前記低優先トラフィックを前記新規のパケットルート側へ転送させる
ことを特徴とする請求項２に記載のマルチレイヤ迂回経路制御装置。
【請求項４】
前記ネットワークリンクの輻輳を、当該輻輳の位置を特定して検出する輻輳検出部
を更に備え、
前記トラフィック振分指示部は、前記輻輳検出部が検出した輻輳の発生位置よりも上流側で最も近い光波長スイッチである特定光波長スイッチに、更に上流側の光波長スイッチを介して直結された上流側ルータに対して、前記優先度振分指示を行い、
前記上流側ルータに、前記優先度振分指示に応じて、当該上流側ルータに入力されるトラフィックの内、前記高優先トラフィックを前記特定光波長スイッチ側の光パスへ転送させ、前記低優先トラフィックを当該上流側ルータから、前記輻輳の発生位置よりも下流側のルータである下流側ルータへ繋がるパケットルートへ転送させる
ことを特徴とする請求項３に記載のマルチレイヤ迂回経路制御装置。
【請求項５】
前記ネットワークリンクの輻輳を、当該輻輳の位置を特定して検出する輻輳検出部
を更に備え、
前記輻輳検出部が、前記第１光パスの終端側の光波長スイッチに下流側で繋がるルータの輻輳を検出した後に、前記ルート探索部が、前記輻輳したルータを経由せず下流側にトラフィックを転送できる別経路ルータを含む別経路を検出した場合、
前記トラフィック振分指示部が、前記輻輳したルータの上流側で最も近い光波長スイッチである特定光波長スイッチに、更に上流側の光波長スイッチを介して直結された上流側ルータに対して、前記優先度振分指示を行い、
前記上流側ルータに、前記優先度振分指示に応じて、当該上流側ルータに入力されるトラフィックの内、前記高優先トラフィックを前記特定光波長スイッチ側の光パスへ転送させ、前記低優先トラフィックを前記上流側ルータから前記別経路ルータに繋がるパケットルートへ転送させる
ことを特徴とする請求項３に記載のマルチレイヤ迂回経路制御装置。
【請求項６】
ルータに対して、光波長スイッチ側の光パスへ伝送されるトラフィックの量を減少させる通信規制を行う通信規制部
を更に備え、
前記輻輳検出部が前記ルータの輻輳の検出後に、前記ルート探索部が前記別経路を検出できなかった場合、
前記通信規制部は、前記上流側ルータに対して、前記輻輳したルータに上流側で最も近い光波長スイッチ側の光パスへ伝送されるトラフィックの量を減少させる通信規制を行う
ことを特徴とする請求項５に記載のマルチレイヤ迂回経路制御装置。
【請求項７】
パケットレイヤと光トランスポートレイヤの各ネットワークを相互接続したマルチレイヤのネットワークリンクにおける通信経路の故障時に、迂回経路に切り替えて通信を継続させるマルチレイヤ迂回経路制御装置による迂回経路制御方法であって、
前記マルチレイヤ迂回経路制御装置は、
前記故障を、位置を特定して検出するステップと、
前記検出された故障が、前記光トランスポートレイヤの第１光パスにおける光波長スイッチ間のリンク故障である場合に、当該第１光パスとその始端から途中まで同ルートを通る第２光パスの存在を探索するステップと、
前記探索により前記第２光パスが検出された際に、前記第１光パスのトラフィックを、前記第２光パスと、当該第２光パスに繋がる前記パケットレイヤのパケットルートとによる迂回経路に切り替える指示を行うステップと
を実行することを特徴とする迂回経路制御方法。
【発明の詳細な説明】
【技術分野】
【０００１】
本発明は、パケットレイヤと光トランスポートレイヤの各ネットワークが相互接続されたマルチレイヤのネットワークリンクにおいて、通信経路等の故障時に最適な迂回経路に切り替えて通信を継続させるマルチレイヤ迂回経路制御装置及び迂回経路制御方法に関する。
【背景技術】
【０００２】
マルチレイヤのネットワーク（ＮＷ）において、パケットレイヤと光トランスポートレイヤとのＮＷトポロジが一致すると共に、光トランスポートレイヤのＮＷにおけるデータ入力ポイントとデータ出力ポイント間に繋がる運用系と予備系との各経路が対象形を成す構成がある。この構成において、運用系の経路で通信を行っている際に当該経路に故障が発生した場合、予備系の経路に切り替えて通信を継続することができる。この種の技術として、非特許文献１に記載のものがある。
【先行技術文献】
【非特許文献】
【０００３】
【非特許文献１】宮部正剛, “広域ＮＷを支える光トランスポートＮＷ向けＳＤＮ技術の紹介”，富士通株式会社，[online],2015,［平成２９年５月２５日検索］，インターネット<URL:http://www.o3project.org/ja/event/20151021/04_%E5%85%89%E3%83%88%E3%83%A9%E3%83%B3%E3%82%B9%E3%83%9D%E3%83%BC%E3%83%88%E3%83%8D%E3%83%83%E3%83%88%E3%83%AF%E3%83%BC%E3%82%AF%E5%90%91%E3%81%91SDN%E6%8A%80%E8%A1%93%E3%81%AE%E7%B4%B9%E4%BB%8B.pdf>
【発明の概要】
【発明が解決しようとする課題】
【０００４】
ところで、図１２に示すマルチレイヤのＮＷのように、運用系と予備系との各経路が非対象のものがある。このＮＷは、複数の光波長スイッチ（スイッチともいう）＃１，＃２，＃３，＃４，＃５，＃６，＃７，＃８，＃９が光ファイバ１１で接続された光トランスポートレイヤのＮＷに、複数のルータ＃ａ，＃ｂ，＃ｃ，＃ｄ，＃ｅ，＃ｆ，＃ｇが導電線を含む通信ケーブル１２で接続されたパケットレイヤのＮＷが接続されている。各ルータ＃ａ〜＃ｇは、所定のスイッチ＃１〜＃９に接続されている。
【０００５】
４つのスイッチ＃１〜＃４が光ファイバ１１で接続された経路が運用系光パス１４であり、７つのスイッチ＃１，＃９〜＃４が光ファイバ１１で接続された経路が予備系光パス１５である。このように、運用系光パス１４と予備系光パス１５とは、スイッチの個数が異なる非対象となっている。
【０００６】
データが、ルータ＃ａからスイッチ＃１に入力されて運用系光パス１４を伝送し、スイッチ＃４から出力されてルータ＃ｄへ伝送される経路で通信が行われているとする。この際に、光波長スイッチ＃３と＃４間の光ファイバ１１に、符号１７で示すように故障が発生したとする。この場合、運用系光パス１４から迂回経路としての予備系光パス１５に切り替えて通信を継続する。
【０００７】
しかし、切替先の予備系光パス１５は、運用系光パス１４よりも光波長スイッチ＃１，＃９〜＃４が多いため、光トランスポートレイヤの多くのＮＷリソースを確保する必要がある。ＮＷリソースは、光波長スイッチ、所定帯域の光ファイバ、伝送周波数を決めるための通信装置等である。このように、運用系光パス１４と予備系光パス１５とで光波長スイッチの個数が異なる非対象の場合、光パスの切替時に、ＮＷリソースの使用量が増加するという問題がある。ＮＷリソースの使用量が増加すると、ＮＷの運用コストや通信コストが高くなる等の不利益が生じる。
【０００８】
本発明は、このような事情に鑑みてなされたものであり、運用系光パスに故障が発生した際に、ネットワークリソースの使用量が増加しないように、迂回経路を生成して切り替えることができるマルチレイヤ迂回経路制御装置及び迂回経路制御方法を提供することを課題とする。
【課題を解決するための手段】
【０００９】
上記課題を解決するための手段として、請求項１に係る発明は、パケットレイヤと光トランスポートレイヤの各ネットワークを相互接続したマルチレイヤのネットワークリンクにおける通信経路の故障時に、迂回経路に切り替えて通信を継続させるマルチレイヤ迂回経路制御装置であって、前記故障を、位置を特定して検出する故障検出部と、前記検出された故障が、前記光トランスポートレイヤの第１光パスにおける光波長スイッチ間のリンク故障である場合に、当該第１光パスとその始端から途中まで同ルートを通る第２光パスの存在を探索するルート探索部と、前記探索により前記第２光パスが検出された際に、前記第１光パスのトラフィックを、前記第２光パスと、当該第２光パスに繋がる前記パケットレイヤのパケットルートとによる迂回経路に切り替える指示を行うトラフィック変更指示部とを備えることを特徴とするマルチレイヤ迂回経路制御装置である。
【００１０】
請求項７に係る発明は、パケットレイヤと光トランスポートレイヤの各ネットワークを相互接続したマルチレイヤのネットワークリンクにおける通信経路の故障時に、迂回経路に切り替えて通信を継続させるマルチレイヤ迂回経路制御装置による迂回経路制御方法であって、前記マルチレイヤ迂回経路制御装置は、前記故障を、位置を特定して検出するステップと、前記検出された故障が、前記光トランスポートレイヤの第１光パスにおける光波長スイッチ間のリンク故障である場合に、当該第１光パスとその始端から途中まで同ルートを通る第２光パスの存在を探索するステップと、前記探索により前記第２光パスが検出された際に、前記第１光パスのトラフィックを、前記第２光パスと、当該第２光パスに繋がる前記パケットレイヤのパケットルートとによる迂回経路に切り替える指示を行うステップとを実行することを特徴とする迂回経路制御方法である。
【００１１】
上記請求項１の構成及び請求項７の方法によれば、第１光パスのトラフィックが、第２光パス及びパケットルートによる迂回経路に切り替えられて伝送される。第２光パスは、第１光パスと途中まで同ルートを通るパスなので、第１光パスのネットワークリソース（ＮＷリソース）の個数よりも少ない個数のＮＷリソースを有する。このため、運用系光パスとしての第１光パスに故障が発生した際に、ＮＷリソースの使用量が増加しないように迂回経路を生成して切り替えることができる。このようにＮＷリソースの使用量が増加しないので、従来のようなＮＷの運用コストや通信コストが高くなる等の不利益が生じないようにすることができる。
【００１２】
請求項２に係る発明は、前記光波長スイッチ間に光パスを新規に設定する処理と、当該新規に設定された光パスの帯域を検出する処理を行う光パス設定部を更に備え、前記ルート探索部が、前記リンク故障の検出時に、前記第２光パスを検出できなかった場合に、前記光パス設定部は、前記第２光パスを設定可能な両端の光波長スイッチに対して、当該第２光パスを新規に設定し、前記トラフィック変更指示部は、前記第１光パスのトラフィックを、前記新規に設定された第２光パスと、当該第２光パスに繋がる前記パケットレイヤのパケットルートとによる迂回経路に切り替える指示を行うことを特徴とする請求項１に記載のマルチレイヤ迂回経路制御装置である。
【００１３】
この構成によれば、第１光パスのトラフィックが、新規に設定された第２光パス及びパケットルートによる迂回経路に切り替えられて伝送される。その迂回経路を生成する際に新規に設定された第２光パスは、第１光パスとその始端から途中まで同ルートを通る光パスなので、第１光パスのＮＷリソースよりも少ない数のＮＷリソースを有する。このため、第１光パスのトラフィックが、第２光パス及びパケットルートによる迂回経路に切り替えられて伝送される。第２光パスは、第１光パスとその始端から途中まで同ルートを通るパスなので、第１光パスのネットワークリソース（ＮＷリソース）の個数よりも少ない個数のＮＷリソースを有する。このため、運用系光パスとしての第１光パスに故障が発生した際に、ＮＷリソースの使用量が増加しないように迂回経路を生成して切り替えることができる。このようにＮＷリソースの使用量が増加しないので、従来のようなＮＷの運用コストや通信コストが高くなる等の不利益が生じないようにすることができる。
【００１４】
請求項３に係る発明は、ルータを通るパケットルートを新規に設定するパケットルート設定部と、光パスに伝送されるトラフィックを、予め定められた基準優先度以上の高優先トラフィックと、基準優先度未満の低優先トラフィックとに振り分ける優先度振分指示を行うトラフィック振分指示部とを更に備え、前記光パス設定部が、前記新規に設定された第２光パスの空き帯域が不十分であることを検出した際に、前記パケットルート設定部が、前記第２光パスの始端に繋がる始端側ルータと前記故障した第１光パスの終端が繋がる終端側ルータとの間に新規にパケットルートを設定し、前記トラフィック振分指示部が、前記始端側ルータに対して前記優先度振分指示を行い、前記始端側ルータに、前記優先度振分指示に応じて、前記第１光パスのトラフィックの内、前記高優先トラフィックを前記第２光パス側へ転送させ、前記低優先トラフィックを前記新規のパケットルート側へ転送させることを特徴とする請求項２に記載のマルチレイヤ迂回経路制御装置である。
【００１５】
この構成によれば、第１光パスのトラフィックを、高優先トラフィックと低優先トラフィックとに分け、高優先トラフィックを新規に設定した第２光パスに転送し、低優先トラフィックを新規に設定したパケットルートへ転送するようにした。このため、第２光パスへ転送されるトラフィック量が減少するので、第２光パスの空き帯域が不十分であっても、トラフィックの適正な伝送が可能となる。
【００１６】
請求項４に係る発明は、前記ネットワークリンクの輻輳を、当該輻輳の位置を特定して検出する輻輳検出部を更に備え、前記トラフィック振分指示部は、前記輻輳検出部が検出した輻輳の発生位置よりも上流側で最も近い光波長スイッチである特定光波長スイッチに、更に上流側の光波長スイッチを介して直結された上流側ルータに対して、前記優先度振分指示を行い、前記上流側ルータに、前記優先度振分指示に応じて、当該上流側ルータに入力されるトラフィックの内、前記高優先トラフィックを前記特定光波長スイッチ側の光パスへ転送させ、前記低優先トラフィックを当該上流側ルータから、前記輻輳の発生位置よりも下流側のルータである下流側ルータへ繋がるパケットルートへ転送させることを特徴とする請求項３に記載のマルチレイヤ迂回経路制御装置である。
【００１７】
この構成によれば、高優先トラフィックと低優先トラフィックとを分岐し、高優先トラフィックを光パス側へ転送し、低優先トラフィックをパケットルート側へ転送するようにした。このため、トラフィックが光パスとパケットルートとに分散されるので、光パスを通って特定光波長スイッチへ集中するトラフィック量が減少する。これによって、トラフィックが集中する特定光波長スイッチのトラフィック量が減少するので、特定光波長スイッチよりも下流側のリンクの輻輳が軽減される。
【００１８】
請求項５に係る発明は、前記ネットワークリンクの輻輳を、当該輻輳の位置を特定して検出する輻輳検出部を更に備え、前記輻輳検出部が、前記第１光パスの終端側の光波長スイッチに下流側で繋がるルータの輻輳を検出した後に、前記ルート探索部が、前記輻輳したルータを経由せず下流側にトラフィックを転送できる別経路ルータを含む別経路を検出した場合、前記トラフィック振分指示部が、前記輻輳したルータの上流側で最も近い光波長スイッチである特定光波長スイッチに、更に上流側の光波長スイッチを介して直結された上流側ルータに対して、前記優先度振分指示を行い、前記上流側ルータに、前記優先度振分指示に応じて、当該上流側ルータに入力されるトラフィックの内、前記高優先トラフィックを前記特定光波長スイッチ側の光パスへ転送させ、前記低優先トラフィックを前記上流側ルータから前記別経路ルータに繋がるパケットルートへ転送させることを特徴とする請求項３に記載のマルチレイヤ迂回経路制御装置である。
【００１９】
この構成によれば、ルータの輻輳検出後に別経路ルータを含む別経路が検出された場合、高優先トラフィックと低優先トラフィックとに分け、高優先トラフィックを引き続き光パスへ転送し、低優先トラフィックを別経路ルータに繋がるパケットルートへ転送するようにした。このため、トラフィックが光パスとパケットルートとに分散されるので、光パスを通って特定光波長スイッチへ集中するトラフィック量が減少する。この減少により特定光波長スイッチから輻輳したルータへは、各々のトラフィック量が減少したトラフィックが同時に転送される。このため、輻輳したルータの輻輳が軽減する効果が得られる。
【００２０】
請求項６に係る発明は、ルータに対して、光波長スイッチ側の光パスへ伝送されるトラフィックの量を減少させる通信規制を行う通信規制部を更に備え、前記輻輳検出部が前記ルータの輻輳の検出後に、前記ルート探索部が前記別経路を検出できなかった場合、前記通信規制部は、前記上流側ルータに対して、前記輻輳したルータに上流側で最も近い光波長スイッチ側の光パスへ伝送されるトラフィックの量を減少させる通信規制を行うことを特徴とする請求項５に記載のマルチレイヤ迂回経路制御装置である。
【００２１】
この構成によれば、上流側ルータから光波長スイッチを介して特定光波長スイッチへ集中して伝送される各トラフィックの量が減少する。この減少により特定光波長スイッチの下流側ルータへ伝送される各トラフィックの量も減少する。このため、下流側ルータの輻輳を軽減することができる。
【発明の効果】
【００２２】
本発明によれば、運用系光パスに故障が発生した際に、ネットワークリソースの使用量が増加しないように、迂回経路を生成して切り替えるマルチレイヤ迂回経路制御装置及び迂回経路制御方法を提供することができる。
【図面の簡単な説明】
【００２３】
【図１】本発明の実施形態に係るマルチレイヤ迂回経路制御装置の構成を示すブロック図である。
【図２】第１条件時のネットワークリンクにおけるリンク故障の発生及び既設光パスを示す図である。
【図３】時間軸に沿った１単位のタイムスロット（ＴＳ）を示す図である。
【図４】第２条件時のネットワークリンクにおけるリンク故障の発生及び設定光パスを示す図である。
【図５】第３条件時のネットワークリンクにおけるリンク故障の発生及び設定パケットルートを示す図である。
【図６】第３条件時のネットワークリンクにおける他のリンク故障の発生及び設定パケットルートを示す図である。
【図７】第４条件時のネットワークリンクにおける輻輳の発生を示す図である。
【図８】第４条件時のネットワークリンクにおける輻輳の軽減状態を示す図である。
【図９】第５条件時のネットワークリンクにおけるルータでの輻輳の発生を示す図である。
【図１０】第５条件時のネットワークリンクにおけるルータでの輻輳の軽減状態を示す図である。
【図１１】第６条件時のネットワークリンクにおけるルータでの輻輳の軽減状態を示す図である。
【図１２】従来のネットワークリンクにおけるリンク故障の発生及びパス切替の様態を示す図である。
【発明を実施するための形態】
【００２４】
以下、本発明の実施形態を、図面を参照して説明する。
＜実施形態の構成＞
図１は、本発明の実施形態に係るマルチレイヤ迂回経路制御装置の構成を示すブロック図である。
図１に示すマルチレイヤ迂回経路制御装置（迂回経路制御装置ともいう）３０は、ＳＤＮ(Software Defined Networking)コントローラ２０に備えられている。
【００２５】
ＳＤＮコントローラ２０は、ＮＷ（ネットワーク）を構成する各通信機器を単一のソフトウェアによって集中的に制御し、ＮＷの構成並びに設定等を動的（後述）に変更することを可能とするものである。動的とは、処理機能の状態や構成が状況に応じて変化したり、状況に合わせて選択できたりする柔軟性を有することである。
【００２６】
一般的にＮＷでは各通信機器の１台ずつが独立したＯＳ(Operating System)や制御ソフト、経路選択機能やデータ転送機能を有しており、ＮＷの設定や構成等の作業を１台ずつ、或いは通信機器の種類毎に行なう必要がある。このため、ＮＷの構成が固定的となっている。ＳＤＮコントローラ２０では、各通信機器の制御機能とデータ転送機能を分離し、制御機能をソフトウェアによって１ヵ所で集中管理することにより、どの通信機器にどのような動作をさせるかを柔軟に設定することが可能となっている。
【００２７】
このようなＳＤＮコントローラ２０に備えられた迂回経路制御装置３０は、故障検出部３１と、輻輳検出部３２と、ルート探索部３３と、トラフィック変更指示部（変更指示部ともいう）３４と、光パス設定部３５と、パケットルート設定部３６と、トラフィック振分指示部（振分指示部ともいう）３７と、通信規制部３８とを備えて構成されている。
【００２８】
ＳＤＮコントローラ２０は、図２に示すネットワークリンク（ＮＷリンク）４０のＮＷリソースである複数の光波長スイッチ（スイッチともいう）＃１〜＃９及び複数のルータ＃ａ〜＃ｇに接続されている。ＮＷリンク４０は、前述の図１２に示したと同じトポロジ構成となっており、図２に示すように、複数のスイッチ＃１〜＃９が光ファイバ１１で接続された光トランスポートレイヤのＮＷに、複数のルータ＃ａ〜＃ｇが通信ケーブル１２で接続されたパケットレイヤのＮＷが接続されて構成されている。各ルータ＃ａ〜＃ｇは、所定のスイッチ＃１〜＃９に接続されている。また、パケットレイヤのＮＷ上には、データパケットが伝送されるパケットルートが生成される。光トランスポートレイヤのＮＷ上には、光信号が伝送される光パスが生成されるようになっている。このＮＷリンク４０の構成は一例であり、スイッチ及びルータの個数は限定されない。なお、前記の「接続されている」ことを、「繋がっている」とも表現する。
【００２９】
図１に示す故障検出部３１は、ＮＷリンク４０の故障を、当該故障の位置を特定して検出する。例えば、図２に示すスイッチ＃３及び＃４間の光ファイバ１１にリンク故障１７が発生したことを検出する。
【００３０】
輻輳検出部３２は、ＮＷリンク４０の輻輳を、当該輻輳の位置を特定して検出する。即ち、各ルータ＃ａ〜＃ｇや各スイッチ＃１〜＃９等の各々の装置や、これら装置間の経路（又はリンクという）に発生した輻輳を検出する。例えば、図７に示すスイッチ＃４とルータ＃ｄ間のリンクの輻輳や、図９に示すルータ＃ｄの輻輳を検出する。
【００３１】
図１に示すルート探索部３３は、ＮＷリンク４０における光パスやパケットルートを探索する。この際、ルート探索部３３は、故障や輻輳したルート等が存在する光パスと異なる光パスの探索、並びに、迂回経路である別経路の探索を行う。
【００３２】
トラフィック変更指示部３４は、スイッチ（例えば図２のスイッチ＃１）に対して光ＴＤＭ(Time Division Multiplexing：時分割多重)により光パスのトラフィック（データ）を相乗りさせるように指示する。この相乗りについて説明する。図３に示すように、時間軸に沿った例えば４つのＴＳ（タイムスロット）１，ＴＳ２，ＴＳ３，ＴＳ４を１単位とした際に、この単位内において、既設の光パスのデータがＴＳ１，ＴＳ２の２スロットを使用しているとする。この場合、ＴＳ３，ＴＳ４の２スロットが空いているので、この空いたＴＳ３，ＴＳ４を、別の光パスのデータに使用させることを相乗りという。
【００３３】
また、変更指示部３４は、スイッチ（例えば図２のスイッチ＃２）に対して、当該スイッチ＃２を通る光パスのトラフィックを、ルータ（例えばルータ＃ｂ）側を通ってパケットルートへ切り替える指示を行う。
【００３４】
光パス設定部３５は、複数のスイッチ（例えば図２のスイッチ＃１，＃２）に対して、当該スイッチ＃１，＃２間に光パスを新規に設定する処理を行う。また、光パス設定部３５は、新規に設定した光パスを通るトラフィックが滞る際に、その光パスの空き帯域が不十分であることを検出する処理を行う。
【００３５】
パケットルート設定部３６は、複数のルータ（例えば図５のルータ＃ａ，＃ｂ，＃ｅ，＃ｄ）間にパケットルート（例えば図５のパケットルート１４ｆ）を設定する処理を行う。
【００３６】
トラフィック振分指示部３７は、ルータ（例えば図５の＃ａ）に対して、光パスのトラフィックの優先度振分指示を行う。例えば図５のルータ＃ａからスイッチ＃１，＃２，＃３，＃４の第１光パスを通ってルータ＃ｄへ抜ける第１光パスのトラフィックがあるとする。優先度振分指示とは、ルータ＃ａを通る第１光パスへのトラフィックの内、予め定められた基準優先度以上の高優先トラフィックを、第１光パスとその始端から途中まで同ルートを通る第２光パス（例えば＃１，＃２）側へ転送し、基準優先度未満の低優先トラフィックを、ルータ＃ａ，＃ｂ，＃ｅ，＃ｄを通るパケットルート１４ｆ側へ転送する振り分けを行う指示のことである。
【００３７】
通信規制部３８は、複数のスイッチ（例えば、図９のスイッチ＃１，＃９，＃８）が光ＴＤＭにより対地間パスの帯域を動的に変更した際に、当該スイッチ＃１，＃９，＃８と直結するルータ＃ａ，＃ｇ（図１１）に対して、スイッチ＃１，＃９，＃８側の光パスへ伝送されるトラフィックの量を減少させる通信規制を行う。
【００３８】
この他、ＳＤＮコントローラ２０では、光トランスポートレイヤとパケットレイヤとのＮＷにおけるルート選択として、予め定められた許容遅延時間よりも、パケットデータ及び光データの各々の転送時間が短い場合は、パケットレイヤにおけるパケットルートを優先して選択する。また、許容遅延時間よりもパケットデータの転送時間が長い場合は、光パスを優先して選択するようになっている。
【００３９】
＜実施形態の動作＞
本実施形態のマルチレイヤ迂回経路制御装置３０によりＮＷリンク４０における最適な迂回経路を生成する等の動作について、後述する故障や輻輳等の条件毎に説明する。
【００４０】
＜第１条件時の動作＞
第１条件は、ＮＷリンク４０においてリンク故障発生時に、当該故障した光パスと同ルートの既設の光パスが存在する場合である。
【００４１】
図２に示すように、ルータ＃ａを経由したデータが、光データとしてスイッチ＃１，＃２，＃３，＃４を光ファイバ１１で結ぶ第１光パス１４ａのルートを通ってルータ＃ｄへ出力されている際に、スイッチ＃３と＃４間のルートに故障１７が発生したとする。
【００４２】
この場合、ＳＤＮコントローラ２０内の迂回経路制御装置３０の故障検出部３１（図１）が、そのリンクの故障１７を検出する。この検出後にルート探索部３３が、ＮＷリンク４０のルート探索により、第１光パス１４ａとその始端から途中まで同ルートを通る他の光パス（第２光パス）１４ｂを検出したとする。
【００４３】
この検出により、変更指示部３４が、スイッチ＃１に対して、矢印Ｙ１で示すように、第１光パス１４ａへのトラフィックを第２光パス１４ｂに相乗りさせるように指示する。この指示後、変更指示部３４は、第２光パス１４ｂの光データ出力側のスイッチ＃２と、当該スイッチ＃２に直結するルータ＃ｂ及びこのルータ＃ｂに繋がるルータ＃ｅ，＃ｄとを結ぶパケットルート１４ｃに、第１光パス１４ａへのトラフィックを、矢印Ｙ２で示すように切り替える指示を、スイッチ＃１，＃２に対して行う。
【００４４】
上記指示により、ルータ＃ａからスイッチ＃１，＃２間の第２光パス１４ｂを通って、更に、スイッチ＃２からルータ＃ｂ〜＃ｄを介したパケットルート１４ｃを通る迂回経路が生成される。この生成により、第１光パス１４ａへのトラフィックが、スイッチ＃１，＃２間の第２光パス１４ｂに相乗りして伝送され、更に、パケットルート１４ｃを伝送してルータ＃ｄから図示せぬ伝送先へ伝送される。
【００４５】
＜第１条件時の効果＞
上記のように生成した迂回経路は、当該迂回経路への切替前の第１光パス１４ａのＮＷリソースとしての４つのスイッチ＃１〜＃４よりも、少ない個数の２つのスイッチ＃１，＃２を有する。このため、運用系光パスとしての第１光パス１４ａに故障が発生した際に、ＮＷリソースの使用量が増加しないように迂回経路を生成し、この迂回経路に切り替えることができる効果が得られる。このように迂回経路への切替後にＮＷリソースの使用量が増加しないので、従来のようなＮＷの運用コストや通信コストが高くなる等の不利益が生じないようにすることができる。
【００４６】
＜第２条件時の動作＞
第２条件は、上記第１条件で説明したリンク故障発生時に、当該故障した光パスと同ルートの既設の光パスが存在しない場合である。
【００４７】
図４において、前述の第１条件時と同様に第１光パス１４ａに故障１７が発生したとする。この場合、図４に示すＳＤＮコントローラ２０内の迂回経路制御装置３０の故障検出部３１（図１）が、そのリンクの故障１７を検出する。この検出後にルート探索部３３が、ＮＷリンク４０のルート探索を行った結果、第１光パス１４ａとその始端から途中まで同ルートを通る他の光パスが検出できなかった（未検出）とする。
【００４８】
この未検出の場合、光パス設定部３５は、一点鎖線の矢印Ｙ３で示すように、第１光パス１４ａとその始端から途中まで同ルートを通る他の光パスを設定可能なスイッチ＃１，＃２に対して、他の光パスである第２光パス１４ｅを新規に設定する。
【００４９】
第２光パス１４ｅの設定後、変更指示部３４は、第２光パス１４ｅの光データ出力側のスイッチ＃２と、当該スイッチ＃２に直結するルータ＃ｂ及びこのルータ＃ｂに繋がるルータ＃ｅ，＃ｄとを結ぶパケットルート１４ｃに、第１光パス１４ａへのトラフィックを、矢印Ｙ２で示すように、切り替える指示を行う。
【００５０】
この指示により、ルータ＃ａからスイッチ＃１，＃２間の第２光パス１４ｅを通って、更に、スイッチ＃２からルータ＃ｂ〜＃ｄを介したパケットルート１４ｃを通る迂回経路が生成される。この生成により、第１光パス１４ａへのトラフィックが、第２光パス１４ｅ及びパケットルート１４ｃに伝送されてルータ＃ｄから図示せぬ伝送先へ伝送される。
【００５１】
＜第２条件時の効果＞
上記のように迂回経路を生成する際に新規に設定された第２光パス１４ｅは、第１光パス１４ａとその始端から途中まで同ルートを通る光パスなので、第１光パス１４ａのＮＷリソースとしての４つのスイッチ＃１〜＃４よりも少ない個数の２つのスイッチ＃１，＃２を有する。このため、上述した第１条件時と同様の効果を得ることができる。
【００５２】
＜第３条件時の動作＞
第３条件は、リンク故障発生時に、当該故障した光パスと同ルートの既設の光パスが存在せず、故障した光パスと同ルートに新規に光パスを設定したが、この設定した光パスの空き帯域が不十分な場合である。
【００５３】
図５において、前述の第２条件時と同様に第１光パス１４ａに故障１７が発生し、この際に、第２条件時と同様に迂回経路が生成されるとする。即ち、図５に示すＳＤＮコントローラ２０内の迂回経路制御装置３０の故障検出部３１（図１参照）が、そのリンクの故障１７を検出する。この検出後にルート探索部３３が、第１光パス１４ａとその始端から途中まで同ルートを通る他の光パスが検出できなかった場合、光パス設定部３５が、矢印Ｙ３で示すように、第１光パス１４ａとその始端から途中まで同ルートを通る他の光パスを設定可能なスイッチ＃１，＃２に対して、前記他の光パスとしての第２光パス１４ｅを新規に設定する。
【００５４】
第２光パス１４ｅの設定後、変更指示部３４が、第２光パス１４ｅの光データ出力側のスイッチ＃２と、当該スイッチ＃２に直結するルータ＃ｂ及びこのルータ＃ｂに繋がるルータ＃ｅ，＃ｄとを結ぶパケットルート１４ｃに、第１光パス１４ａへのトラフィックを、矢印Ｙ２で示すように切り替える指示を、スイッチ＃１，＃２に対して行う。この指示により、ルータ＃ａから第２光パス１４ｅ及びパケットルート１４ｃを通る迂回経路が生成され、この迂回経路に第１光パス１４ａへのトラフィックが伝送される。
【００５５】
この際、光パス設定部３５が、第２光パス１４ｅを通る第１光パス１４ａへのトラフィックが滞ることを検知することにより、第２光パス１４ｅの空き帯域が不十分であることを検出したとする。
【００５６】
この検出時に、パケットルート設定部３６は、一点鎖線の矢印Ｙ４で示すように、第２光パス１４ｅの始端に繋がるルータ（始端側ルータ）＃ａと、故障１７が発生した第１光パス１４ａの終端に繋がるルータ（終端側ルータ）＃ｄと、これらルータ＃ａ，＃ｄ間のルータ＃ｂ，＃ｅとを制御して、各ルータ＃ａ，＃ｂ，＃ｅ，＃ｄを接続するパケットルート１４ｆを新規に設定する。
【００５７】
この設定後、トラフィック振分指示部３７は、第２光パス１４ｅとパケットルート１４ｆとの各々にデータ振分可能なルータ＃ａに対して、第１光パス１４ａへのトラフィックの優先度振分指示を行う。即ち、振分指示部３７は、ルータ＃ａを通る第１光パス１４ａへのトラフィックの内、予め定められた基準優先度以上の高優先トラフィックを第２光パス１４ｅ側へ転送し、基準優先度未満の低優先トラフィックをパケットルート１４ｆ側へ転送する振り分けを指示する。この際、高優先トラフィックの量が第２光パス１４ｅの帯域を超えないようにするのが好ましい。
【００５８】
その振分指示によって、ルータ＃ａを通る第１光パス１４ａへのトラフィックの内、高優先トラフィックが第２光パス１４ｅへ転送され、低優先トラフィックがパケットルート１４ｆへ転送される。
【００５９】
＜第３条件時の効果＞
上記のように第１光パス１４ａへのトラフィックを、高優先トラフィックと低優先トラフィックとに分け、高優先トラフィックを新規に設定した第２光パス１４ｅに転送し、低優先トラフィックをパケットルート１４ｆへ転送するようにした。このため、第２光パス１４ｅへ転送されるトラフィック量が減少するので、第２光パス１４ｅの空き帯域が不十分であっても、トラフィックの適正な伝送が可能となる。
【００６０】
この他、第３条件時において、図６に示すように、第１光パス１４ａの終端側のスイッチ＃４と、このスイッチ＃４の下流側に繋がるルータ＃ｄとの間の通信ケーブル１２に故障１７ａが発生した場合も、上述した第３条件時と同様な処理によって第１光パス１４ａへのトラフィックを迂回させる。
【００６１】
この場合、故障検出部３１によってスイッチ＃４とルータ＃ｄ間のリンク故障１７ａが検出された後、第２条件時と同様に光パス設定部３５で第２光パス１４ｅが新規に設定される。しかし、その第２光パス１４ｅの空き帯域が不十分であることが検出されたとする。この検出時に、パケットルート設定部３６が、ルータ（始端側ルータ）＃ａと、第１光パス１４ａの終端側の故障１７ａが発生した通信ケーブル１２が繋がるルータ（終端側ルータ）＃ｄと、これらルータ＃ａ，＃ｄ間のルータ＃ｂ，＃ｅとを制御してパケットルート１４ｆを新規に設定する。
【００６２】
この設定後、振分指示部３７が、ルータ＃ａに対して、当該ルータ＃ａを通る第１光パス１４ａへのトラフィックの内、高優先トラフィックを第２光パス１４ｅ側へ転送し、低優先トラフィックをパケットルート１４ｆ側へ転送する振り分けを指示する。この指示によって、ルータ＃ａを通る第１光パス１４ａへのトラフィックの内、高優先トラフィックが第２光パス１４ｅへ転送され、低優先トラフィックがパケットルート１４ｆへ転送される。この場合も、上述した第３条件時と同様の効果が得られる。
【００６３】
＜第４条件時の動作＞
第４条件は、図７に示すように、第１光パス１４ａの終端側のスイッチ＃４と、このスイッチ＃４の下流側に繋がるルータ（出力側ルータ）＃ｄとの間のリンクが輻輳１８した場合である。
【００６４】
輻輳１８は次の要因により生じたとする。即ち、複数のスイッチ（例えば、スイッチ＃１，＃９，＃８）が光ＴＤＭにより対地間パスの帯域を動的に変更した際に、矢印Ｙ１１，Ｙ１２，Ｙ１３で示すように、特定のスイッチ（例えば、スイッチ＃４）にトラフィックが集中する。このため、トラフィックが集中したスイッチ＃４と、当該スイッチ＃４の下流側に繋がるルータ＃ｄとの間のリンクの矢印Ｙ１４で示すトラフィック量が大きく増加して、リンクが輻輳１８した。
【００６５】
なお、スイッチ＃４に集中した各トラフィックは、矢印Ｙ１１で示すように、ルータ（入力ルータ）＃ａに入力され、このルータ＃ａからスイッチ＃１を介してスイッチ＃４へ入力された光パスのトラフィックと、矢印Ｙ１２で示すように、ルータ（入力ルータ）＃ｇに入力され、このルータ＃ｇからスイッチ＃９を介してスイッチ＃４へ入力された光パスのトラフィックと、矢印Ｙ１３で示すように、ルータ（入力ルータ）＃ｇに入力され、このルータ＃ｇからスイッチ＃８を介してスイッチ＃４へ入力された光パスのトラフィックである。
【００６６】
上記輻輳１８の発生後、図８に示すＳＤＮコントローラ２０内の迂回経路制御装置３０の輻輳検出部３２（図１）が、その輻輳１８（図７）を検出する。
【００６７】
この検出後に振分指示部３７が、一点鎖線の矢印Ｙ５で示すように、対地間パスの変更を行ったスイッチ＃１，＃９，＃８と直結するルータ＃ａ，＃ｇに対して優先度振分を指示する。この優先度振分指示は、高優先トラフィックと低優先トラフィックとを分岐し、高優先トラフィックを引き続き光パス（矢印Ｙ１１，Ｙ１２，Ｙ１３）へ転送し、低優先トラフィックを次のようにパケットルートへ転送する指示である。パケットルートへの転送指示は、ルータ＃ａから矢印Ｙ１１ａで示すように、ルータ＃ｂ，＃ｃを介してルータ＃ｄへ転送し、また、ルータ＃ｇから矢印Ｙ１２ａで示すように、ルータ＃ｃを介してルータ＃ｄへ転送し、また、ルータ＃ｇから矢印Ｙ１３ａで示すように、ルータ＃ｃを介してルータ＃ｄへ転送する指示である。
【００６８】
言い換えれば、振分指示部３７は、検出された輻輳１８の発生位置よりも上流側で最も近い光波長スイッチである特定光波長スイッチ＃４に、更に上流側の光波長スイッチ＃１，＃９，＃８を介して直結された上流側ルータ＃ａ，＃ｇに対して、上述した優先度振分指示を行う。この優先度振分指示（振分指示）では、まず、上流側ルータ＃ａ，＃ｇに入力されるトラフィックの内、高優先トラフィックと低優先トラフィックとに分ける。そして、この分けられた高優先トラフィックを光波長スイッチ＃１，＃９，＃８を経由した特定光波長スイッチ＃４側の光パスへ転送し、低優先トラフィックを上流側ルータ＃ａ，＃ｇから下流側のルータ＃ｂ，＃ｃを経由して、輻輳１８の発生位置よりも下流側の下流側ルータ＃ｄへ繋がるパケットルート（Ｙ１１ａ，Ｙ１２ａ，Ｙ１３ａ）へ転送する。
【００６９】
このような振分指示によって、各ルータ＃ａ，＃ｇに入力されたトラフィックの内、高優先トラフィックが矢印Ｙ１１，Ｙ１２，Ｙ１３で示すように、スイッチ＃１，＃９，＃８を介した光パスを通ってスイッチ＃４へ転送され、更にスイッチ＃４からルータ＃ｄへ転送される。一方、低優先トラフィックは、ルータ＃ａから矢印Ｙ１１ａで示すように、ルータ＃ｂ，＃ｃを介したパケットルートを通ってルータ＃ｄへ転送される。また、ルータ＃ｇから矢印Ｙ１２ａで示すように、ルータ＃ｃを介したパケットルートを通ってルータ＃ｄへ転送され、更に、ルータ＃ｇから矢印Ｙ１３ａで示すように、ルータ＃ｃを介したパケットルートを通ってルータ＃ｄへ転送される。
【００７０】
＜第４条件時の効果＞
上述したように、高優先トラフィックと低優先トラフィックとを分岐し、高優先トラフィックを引き続き光パス（図８の矢印Ｙ１１，Ｙ１２，Ｙ１３）へ転送し、低優先トラフィックをパケットルート（図８の矢印Ｙ１１ａ，Ｙ１２ａ，Ｙ１３ａ）へ転送するようにした。このため、トラフィックが光パスとパケットルートとに分散されるので、光パスを通って特定のスイッチ＃４へ集中するトラフィック量が減少する。これによって、トラフィックが集中するスイッチ＃４と、当該スイッチ＃４に接続されたルータ＃ｄとの間のリンクの矢印Ｙ１４ａで示すトラフィック量が減少するので、リンクの輻輳１８ａが軽減される効果が得られる。
【００７１】
＜第５条件時の動作＞
第５条件は、図９に示すように、第１光パス１４ａの終端側のスイッチ（特定光波長スイッチ）＃４と、このスイッチ＃４に繋がるルータ（出力側ルータ）＃ｄが輻輳１９した際に、後述する別経路が存在する場合である。
【００７２】
輻輳１９は次の要因により生じたとする。即ち、複数のスイッチ（例えば、スイッチ＃１，＃９，＃８）が光ＴＤＭにより対地間パスの帯域を動的に変更した際に、上述した矢印Ｙ１１，Ｙ１２，Ｙ１３で示すように、特定のスイッチ（例えば、スイッチ＃４）にトラフィックが集中する。このようにトラフィックが集中すると、スイッチ＃４からルータ＃ｄへは、矢印Ｙ１１ｊ，Ｙ１２ｊ，Ｙ１３ｊの太い幅でトラフィック量を示す各々のトラフィックが同時に転送されるので、ルータ＃ｄが輻輳１９してしまう。
【００７３】
上記輻輳１９の発生後、図１０に示すＳＤＮコントローラ２０内の迂回経路制御装置３０の輻輳検出部３２（図１）が、そのルータ＃ｄの輻輳１９（図９）を検出する。この検出後にルート探索部３３が、ＮＷリンク４０のルート探索により、輻輳１９したルータ＃ｄを経由せず、ルータ＃ｄと同様に下流側にトラフィックを転送できる別経路を探索したとする。この探索によって、ルート探索部３３が、例えばルータ＃ｄ及び＃ｅに繋がるルータ＃ｈを経由する別経路を検出したとする。別経路は、ルータ＃ｄからルータ＃ｈを経由して下流側へトラフィックを伝送する経路と、ルータ＃ｅからルータ＃ｈを経由して下流側へトラフィックを伝送する経路である。なお、別経路中のルータ＃ｈを、別経路ルータ＃ｈと称す。
【００７４】
輻輳１９の検出後に別経路が検出された場合、振分指示部３７は、図１０に示す一点鎖線の矢印Ｙ６で示すように、対地間パスの変更を行ったスイッチ＃１，＃９，＃８と直結するルータ＃ａ，＃ｇに対して優先度振分を指示する。この優先度振分指示は、高優先トラフィックと低優先トラフィックとを分岐し、高優先トラフィックを引き続き光パス（矢印Ｙ１１，Ｙ１２，Ｙ１３）へ転送し、低優先トラフィックを次のように別経路ルータ＃ｈに繋がるパケットルートへ転送する指示である。このパケットルートへの転送指示は、ルータ＃ａから矢印Ｙ１１ｂで示すように、ルータ＃ｇ，＃ｆ，＃ｅを介して別経路ルータ＃ｈへ転送し、また、ルータ＃ｇから矢印Ｙ１２ｂで示すように、ルータ＃ｆ，＃ｅを介して別経路ルータ＃ｈへ転送し、また、ルータ＃ｇから矢印Ｙ１３ｂで示すように、ルータ＃ｆ，＃ｅを介して別経路ルータ＃ｈへ転送する指示である。
【００７５】
言い換えれば、振分指示部３７は、輻輳１９したルータ＃ｄの上流側で最も近い光波長スイッチである特定光波長スイッチ＃４に、更に上流側の光波長スイッチ＃１，＃９，＃８を介して直結された上流側ルータ＃ａ，＃ｇに対して、優先度振分指示を行う。この優先度振分指示では、まず、上流側ルータ＃ａ，＃ｇに入力されるトラフィックの内、高優先トラフィックと低優先トラフィックとに分ける。そして、この分けられた高優先トラフィックを光波長スイッチ＃１，＃９，＃８を経由した特定光波長スイッチ＃４側の光パスへ転送し、低優先トラフィックを上流側ルータ＃ａ，＃ｇから下流側のルータ＃ｇ，＃ｆ，＃ｅを介して別経路ルータ＃ｈに繋がるパケットルート（Ｙ１１ｂ，Ｙ１２ｂ，Ｙ１３ｂ）へ転送する。
【００７６】
このような振分指示によって、各ルータ＃ａ，＃ｇに入力されたトラフィックの内、高優先トラフィックが、矢印Ｙ１１，Ｙ１２，Ｙ１３で示すように、スイッチ＃１，＃９，＃８を介した光パスを通ってスイッチ＃４へ転送され、更にスイッチ＃４からルータ＃ｄを介して別経路ルータ＃ｈへ転送される。
【００７７】
一方、低優先トラフィックは、ルータ＃ａから矢印Ｙ１１ｂで示すように、ルータ＃ｇ，＃ｆ，＃ｅを介したパケットルートを通って別経路ルータ＃ｈへ転送される。また、ルータ＃ｇから矢印Ｙ１２ｂで示すように、ルータ＃ｆ，＃ｅを介したパケットルートを通って別経路ルータ＃ｈへ転送され、更に、ルータ＃ｇから矢印Ｙ１３ｂで示すように、ルータ＃ｆ，＃ｅを介したパケットルートを通って別経路ルータ＃ｈへ転送される。
【００７８】
＜第５条件時の効果＞
上述したように、ルータ＃ｄの輻輳１９の検出後に別経路ルータ＃ｈを含む別経路が検出された場合、高優先トラフィックと低優先トラフィックとに分け、高優先トラフィックを引き続き光パス（図１０の矢印Ｙ１１，Ｙ１２，Ｙ１３）へ転送し、低優先トラフィックを別経路ルータ＃ｈに繋がるパケットルート（図１０の矢印Ｙ１１ｂ，Ｙ１２ｂ，Ｙ１３ｂ）へ転送するようにした。このため、トラフィックが光パスとパケットルートとに分散されるので、光パスを通って特定のスイッチ＃４へ集中するトラフィック量が減少する。この減少によりスイッチ＃４からルータ＃ｄへは、図９の矢印Ｙ１１ｊ，Ｙ１２ｊ，Ｙ１３ｊよりも小さい幅の図１０の矢印Ｙ１１ｋ，Ｙ１２ｋ，Ｙ１３ｋで示すように、トラフィック量が減少した各トラフィックが同時に転送される。このため、ルータ＃ｄの輻輳１９ａが軽減する効果が得られる。
【００７９】
なお、輻輳１９ａが軽減したルータ＃ｄから別経路ルータ＃ｈへは、矢印Ｙ１１ｋ，Ｙ１２ｋ，Ｙ１３ｋで示すように各トラフィックが伝送される。また、別経路ルータ＃ｈには、矢印Ｙ１１ｂ，Ｙ１２ｂ，Ｙ１３ｂで示すようにパケットルートを経由した各トラフィックも伝送される。従って、別経路ルータ＃ｈからは、その双方の各トラフィックが矢印Ｙ１１ｍ，Ｙ１２ｍ，Ｙ１３ｍで示すように下流側へ伝送される。
【００８０】
＜第６条件時の動作＞
第６条件は、上記第５条件で図９を参照して説明したと同様に、第１光パス１４ａの終端側のスイッチ（特定光波長スイッチ）＃４と、このスイッチ＃４に繋がるルータ（出力側ルータ）＃ｄが輻輳１９した際に、上述した別経路が存在しない場合である。つまり、図１１に示すＳＤＮコントローラ２０内の迂回経路制御装置３０の輻輳検出部３２（図１）が、その輻輳１９を検出した後に、ルート探索部３３がルート探索により別経路を検出できなかった場合である。
【００８１】
この場合、通信規制部３８は、対地間パスの変更を行ったスイッチ（例えば、スイッチ＃１，＃９，＃８）と直結するルータ＃ａ，＃ｇに対して、矢印Ｙ１１，Ｙ１２，Ｙ１３で示すように、スイッチ＃１，＃９，＃８側の光パスへ伝送される各トラフィックの量を減少させる通信規制を行う。この通信規制によって、ルータ＃ａ，＃ｇからスイッチ＃１，＃９，＃８を介してスイッチ＃４へ集中して伝送される各トラフィックの量が減少する。この減少の様子を、図９の矢印Ｙ１１ｊ，Ｙ１２ｊ，Ｙ１３ｊで示した幅よりも小さい、図１１に示す矢印Ｙ１１ｋ，Ｙ１２ｋ，Ｙ１３ｋの幅で示した。
【００８２】
スイッチ＃４へ集中する各トラフィックの量の減少によって、スイッチ＃４の下流側のルータ＃ｄへ伝送される各トラフィックの量も減少し、ルータ＃ｄから矢印Ｙ１１ｋ，Ｙ１２ｋ，Ｙ１３ｋで示すように、その減少されたトラフィック量の各トラフィックが下流側へ伝送される。
【００８３】
＜第６条件時の効果＞
上述したように通信規制によって、各トラフィックが集中するスイッチ＃４の下流側のルータ＃ｄへ伝送される各トラフィックの量が減少するので、ルータ＃ｄの輻輳１９ａ（図１１）が、軽減する効果が得られる。なお、図１１に示す輻輳１９ａは、軽減効果を表すために図９に示した輻輳１９よりも小さく表記した。
【００８４】
その他、具体的な構成について、本発明の主旨を逸脱しない範囲で適宜変更が可能である。
【符号の説明】
【００８５】
２０  ＳＤＮコントローラ
３０  マルチレイヤ迂回経路制御装置
３１  故障検出部
３２  輻輳検出部
３３  ルート探索部
３４  トラフィック変更指示部
３５  光パス設定部
３６  パケットルート設定部
３７  トラフィック振分指示部
３８  通信規制部
【図１】
2019004235.tif 000003
【図２】
2019004235.tif 000004
【図３】
2019004235.tif 000005
【図４】
2019004235.tif 000006
【図５】
2019004235.tif 000007
【図６】
2019004235.tif 000008
【図７】
2019004235.tif 000009
【図８】
2019004235.tif 000010
【図９】
2019004235.tif 000011
【図１０】
2019004235.tif 000012
【図１１】
2019004235.tif 000013
【図１２】
2019004235.tif 000014